(57)【特許請求の範囲】
【請求項１】
電話回線に接続される通信ユニットを装置本体に装着することにより、前記電話回線を介した通信機能を追加可能なデータ処理装置において、
前記通信ユニットが装置本体に装着された場合に前記通信ユニットが備える前記電話回線の直流ループの有無を検出する電流検出部から出力される検出信号が入力される直流検出信号入力端子の信号状態により、通常動作時においては、前記電話回線の直流ループの有無を検出し、前記通信ユニットの接続状態の検出モードにおいては、前記通信ユニットが装置本体により使用可能に装着されているか否かを検出する直流ループ／装着状態検出手段を備えたことを特徴とするデータ処理装置。
【請求項２】
電話回線に接続される通信ユニットを装置本体に装着することにより、前記電話回線を介した通信機能を追加可能なデータ処理装置において、
前記通信ユニットは外付電話を接続可能である一方、前記通信ユニットが装置本体に装着された場合に前記通信ユニットが備える前記電話回線の直流ループの正逆それぞれについてその有無を検出する電流検出部から出力される正逆各検出信号が入力される第１及び第２直流検出信号入力端子の各信号状態により、通常動作時においては、前記電話回線の正逆いずれかの直流ループの有無を検出し、前記通信ユニットの接続状態の検出モードにおいては、前記通信ユニットが装置本体により使用可能に装着されているか否かを検出する直流ループ／装着状態検出手段を備えたことを特徴とするデータ処理装置。
【請求項３】
前記直流ループ／装着状態検出手段による前記通信ユニットの接続状態の検出結果についての確認メッセージを表示するメッセージ表示手段を更に備えたことを特徴とする請求項１または２のいずれかに記載のデータ処理装置。
【請求項４】
前記前記直流ループ／装着状態検出手段により、前記通信ユニットが未接続と検出さた場合には、前記通信ユニットを使用した通信機能に係る制御手順の実行を禁止する通信機能停止手段を更に備えたことを特徴とする請求項１、２または３のいずれかに記載のデータ処理装置。
【発明の詳細な説明】
【０００１】
【発明の属する技術分野】
本発明は、データ処理装置に関し、特に、電話回線に接続される通信ユニットを装置本体に装着することにより、前記電話回線を介した通信機能を追加可能なデータ処理装置に関する。
【０００２】
【従来の技術】
ファクシミリ装置の機能を実現するためには、画像データを送受信する通信機能、原稿を読み取って画像データを得るスキャナ機能、及び、画像データを記録紙に記録するプロッタ機能が必要である。
【０００３】
一方、ディジタル複写機においては、スキャナ機能、及び、プロッタ機能を既に備えていて、通信機能を追加すれば、ファクシミリ装置として動作できる。また、スキャナ装置においては、スキャナ機能を既に備えているため、通信機能を追加すれば、ファクシミリ送信機能が実現可能となる。また、プリンタ装置においては、プロッタ機能を既に備えているため、通信機能を追加すれば、ファクシミリ受信機能が実現可能なる。
【０００４】
そこで、ディジタル複写機等に電話回線を介した通信機能を実現するための通信ユニットをオプションで用意し、通信機能をユーザが必要とする場合に、通信ユニットを装置本体に装着することで、必要に応じて通信機能を追加できるようにした機器も近年登場してきている。
【０００５】
しかし、ディジタル複写機等に限らず、データ処理装置に通信機能を追加するためには、装置本体側では、通信ユニットが装着されているときのみ、電話回線を介した通信に係る制御手順を有効にする必要があるため、通信ユニットが接続されているか否かの情報を装置本体が正しく認識する必要がある。
【０００６】
その認識方法としては、ディップスイッチなどのハードウェアスイッチを通信ユニットが接続されいるか否かに応じて手動でＯＮ／ＯＦＦ設定して、装置が起動時にハードウェアスイッチの設定状態に認識することにより、通信ユニットの接続状態を認識したり、操作部からの設定入力により通信ユニットの接続状態を設定して、その設定をフラッシュＲＯＭ等の書換可能な不揮発性のメモリに記憶しておいて、その記憶した設定を読み出すことで、通信ユニットの接続状態を設定していたりした。
【０００７】
【発明が解決しようとする課題】
しかし、そのような手動による通信ユニットの接続状態の設定では、設定ミスが生じやすく、実際には装置本体から使用可能な正しい状態では装着されていないのに、通信ユニットが接続されていると設定されてしまって、装置動作に支障がでたりしてしまうという問題点があった。
【０００８】
本発明は係る事情に鑑みてなされたものであり、通信ユニットが装置本体から使用可能な状態で正しく装着されているか否かを自動的に検出することができるデータ処理装置を提供することを目的とする。
【０００９】
【課題を解決するための手段】
上記目的を達成するため、請求項１に記載のデータ処理装置は、電話回線に接続される通信ユニットを装置本体に装着することにより、前記電話回線を介した通信機能を追加可能なデータ処理装置において、前記通信ユニットが装置本体に装着された場合に前記通信ユニットが備える前記電話回線の直流ループの有無を検出する電流検出部から出力される検出信号が入力される直流検出信号入力端子の信号状態により、通常動作時においては、前記電話回線の直流ループの有無を検出し、前記通信ユニットの接続状態の検出モードにおいては、前記通信ユニットが装置本体により使用可能に装着されているか否かを検出する直流ループ／装着状態検出手段を備えたことを特徴とする。
【００１０】
請求項２に記載のデータ処理処理装置は、電話回線に接続される通信ユニットを装置本体に装着することにより、前記電話回線を介した通信機能を追加可能なデータ処理装置において、前記通信ユニットは外付電話を接続可能である一方、前記通信ユニットが装置本体に装着された場合に前記通信ユニットが備える前記電話回線の直流ループの正逆それぞれについてその有無を検出する電流検出部から出力される正逆各検出信号が入力される第１及び第２直流検出信号入力端子の各信号状態により、通常動作時においては、前記電話回線の正逆いずれかの直流ループの有無を検出し、前記通信ユニットの接続状態の検出モードにおいては、前記通信ユニットが装置本体により使用可能に装着されているか否かを検出する直流ループ／装着状態検出手段を備えたことを特徴とする。
【００１１】
請求項３に記載のデータ処理装置は、請求項１または２のいずれかに記載のデータ処理装置において、前記直流ループ／装着状態検出手段による前記通信ユニットの接続状態の検出結果についての確認メッセージを表示するメッセージ表示手段を更に備えたことを特徴とする。
【００１２】
請求項４に記載のデータ処理装置は、請求項１、２または３のいずれかに記載のデータ処理装置において、前記前記直流ループ／装着状態検出手段により、前記通信ユニットが未接続と検出さた場合には、前記通信ユニットを使用した通信機能に係る制御手順の実行を禁止する通信機能停止手段を更に備えたことを特徴とする。
【００１３】
【発明の実施の形態】
以下、添付図面を参照しながら、本発明の実施の形態を詳細に説明する。
【００１４】
先ず、図１は、本発明の実施の形態に係るデータ処理装置１のブロック構成を示している。
【００１５】
同図において、データ処理装置１は、システム制御部２、ＲＯＭ３、ＲＡＭ４、スキャナ５、プロッタ６、ＰＣインターフェース７、符号化復号化部８、操作表示部９、モデム１０、検出モード設定部１１、及び、システムバス１２により構成されている。また、データ処理装置１は、通信ユニットとしてのＮＣＵユニット２０をハーネスＨを介して接続するためのコネクタＣＮ１を備えている。
【００１６】
システム制御部２は、ＲＯＭ３書き込まれた制御プログラムに従って、ＲＡＭ４を作業領域として使用しながら、装置各部を制御するものである。
【００１７】
ＲＯＭ３は、前述したように、システム制御部２が上記装置各部を制御するための制御プログラムやデータテーブルが記憶されているリードオンリメモリである。
【００１８】
ＲＡＭ４は、前述したようにシステム制御部２の作業領域として使用されるランダムアクセスメモリである。なお、ＲＡＭ４は、図示しないバックアップ用回路によりバックアップされており、装置電源遮断時にも記憶内容は保持される。
【００１９】
スキャナ５は、３．８５本／ｍｍ、７．７本／ｍｍ、１５．４本／ｍｍ等の所定の読み取り線密度で副走査される原稿画像を読み取って画像データを得るためのものである。プロッタ６は、画像データを記録紙に記録出力するめたのものである。
【００２０】
ＰＣインターフェース７は、パーソナルコンピュータ（ＰＣ）４０とのインターフェースとなるもので、データ処理装置１はＰＣインターフェース７を介してＰＣ４０との間で画像データをやりとりする。
【００２１】
符号化復号化部８は、画像データを、ＭＨ符号化方式、ＭＲ符号化方式、ＭＭＲ符号化方式等の所定の符号化方式で符号化圧縮する一方、符号化画像データをＭＨ符号化方式、ＭＲ符号化方式、ＭＭＲ符号化方式等に対応する所定の復号化方式で復号伸長して元の画像データを再生するものである。
【００２２】
操作表示部９は、相手先ファクシミリ番号を指定するためのテンキー、送信スタートキー、ワンタッチダイヤルキー、ファンクションキー、及び、その他各種キーが配設される一方、液晶表示装置等の表示器を備え、ユーザに知らせるべき装置の動作状態や、各種メッセージを表示するものである。
【００２３】
図２に、本実施の形態と直接関係する部分以外は、図示を省略した操作表示部９の配置構成例を示す。同図において、テンキー９ａは、送信相手先ファックス番号等を直接指定したりするために用いられるものである。［スタート］キー９ｂは、ファクシミリ送信動作の開始や、コピー動作の開始等を指示するためのものである。［ストップ］キー９ｃは、各種動作の強制的な停止を指示するためのものである。［Ｙｅｓ］キー９ｄ及び［Ｎｏ］キー９ｅは、ユーザに決定または取消の各種選択をさせるためのキーである。
【００２４】
［ファンクション］キー９ｆは、ワンタッチダイヤルの登録機能、短縮ダイヤルの登録機能、ユーザパラメータの設定機能や、ファクシミリ装置１の標準的なファクシミリ装置としての機能以外の、時刻指定送信、部門コード指定送信等の拡張的な機能を呼び出すためのもので、この［ファンクション］キー９ｆを押下して、テンキー９ａにより、各機能に対応した番号を入力することで、各機能を呼び出して実行することができる。
【００２５】
表示器９ｇは、ユーザに知らせるべき装置の動作状態や、各種メッセージを表示するものである。
【００２６】
図１に戻って、モデム１０は、Ｇ３ファクシミリモデムであり、コネクタＣＮ１にＮＣＵユニット２０が接続されて、ＮＣＵユニット２０が装置本体に正しく装着されている状態では、ＮＣＵユニット２０を介して電話回線に送信するデータを変調する一方、ＮＣＵユニット２０を介して電話回線から受信した信号を復調するものである。また、モデム１０は、宛先電話番号に対応したＤＴＭＦ信号の送出も行う。
【００２７】
検出モード設定部１１は、詳細は後述するが、ＮＣＵ２０が備える電流検出部２２からの出力信号を、電話回線の直流ループの検出のために使用する場合（回線直流ループ検出モード）と、ＮＣＵユニット２０が装置本体に正しく装着されているか否かを検出するために使用する場合（ＮＣＵ接続状態検出モード）とで、検出モードを設定変更するためのものである。システムバス１２は、上記各部がデータをやり取りするための信号ラインである。コネクタＣＮ１は、ＮＣＵユニット２０をデータ処理装置１本体にハーネスＨを介して必要に応じて電気的に接続するためのものである。
【００２８】
以上の構成で、データ処理装置１のシステム制御部２は、スキャナ５で原稿を読み取って得た画像データを、必要に応じて符号化復号化部８により圧縮符号化して、ＰＣインターフェース７を介してＰＣ４０に転送するスキャナ機能、ＰＣインターフェース７を介してＰＣ４０から転送された画像データを、必要に応じて符号化復号化部８により復号伸長してプロッタ６により記録紙に記録するプロッタ機能、スキャナ５で原稿を読み取って得た画像データを、プロッタ６により記録紙に記録するコピー機能等の各種データ処理のための制御を行う。
【００２９】
また、ＮＣＵユニット２０がコネクタＣＮ１に接続された使用可能な場合には、スキャナ５で原稿を読み取って得た画像データを、符号化復号化部８により圧縮符号化して、モデム１０により変調してＮＣＵユニット２０を介して電話回線上の送信先装置に送信するファクシミリ送信機能や、ＮＣＵユニット２０を介して電話回線上の送信元装置から受信した信号をモデム１０により復調して、符号化復号化部８により復号伸長して、得られた画像データをプロッタ６により記録紙に記録するファクシミリ受信機能のための制御も行う。
【００３０】
データ処理装置１のシステム制御部２がファクシミリ機能のための制御を行うためには、ＮＣＵユニット２０が装置本体から使用可能に正しく接続されていること、すなわち、ＮＣＵユニット２０がハーネスＨを介してコネクタＣＮ１に電気的にしっかり接続されていることが必要であり、また、ＮＣＵユニット２０が装置本体に接続されているか否かを正しく検出する必要がある。
【００３１】
そのため、本実施の形態では、図３に構成により、ＮＣＵユニット２０が本来電話回線の直流ループの有無を検出するために備える電流検出部２２からの検出信号の状態を検出モード設定部１１を介して検出することで、ＮＣＵユニット２０の接続状態を自動検出する。
【００３２】
図３において、ＮＣＵユニット２０には、モジュラージャック等のコネクタＣＮ２を介して電話回線が接続されると共に、外付電話機３０が接続されている。ファクシミリ通信を行っていない間は、ＮＣＵユニット２０内のリレーＲＹは、接点ａ側に切り換えられていて、電話回線は外付電話機３０に接続され、電話回線は、外付電話機３０により必要に応じて使用される。
【００３３】
データ処理装置１がファクシミリ機能を実行する場合には、リレーＲＹを設定ｂ側に切り換えて、電話回線をライントランスＬＴを介してモデム１０に接続する必要がある。しかし、電話回線が外付け電話機３０により使用中の場合、すなわち、電話回線の直流ループが形成されているときには、ファクシミリ機能を実行するわけにはいかないため、電話回線の直流ループの有無を検出するための電流検出部２２を設け、直流ループの有無を検出する。その検出信号（Ｄ１，Ｄ２）は、それぞれ検出モード設定部１１を介して検出結果信号Ｏｕｔ１及びＯｕｔ２として、システムバス１２を介してシステム制御部２に入力される。
【００３４】
また、ＮＣＵユニット２０には、電話回線から到来する呼出信号を検出して着信を知るための呼出信号検出部２１も設けられ、呼出信号検出部２１から出力される呼出信号検出信号は、システムバス１２を介してシステム制御部２に入力される。
【００３５】
ＮＣＵユニット２０のライントランスＬＴとモデム１０を電気的に接続するための配線や、電流検出部２２から出力される検出信号Ｄ１、Ｄ２を検出モード設定部１１に電気的に接続するための配線や、呼出信号検出部２１から出力される呼出信号検出信号をシステムバス１２に電気的に接続するための配線は、ＮＣＵユニット２０から延びるハーネスＨを、データ処理装置１本体側のコネクタＣＮ１に接続することによりなされる。したがって、データ処理装置１本体にとっての直流検出信号入力端子は、コネクタＣＮ１の検出信号Ｄ１、Ｄ２のための接続点であるということになる。
【００３６】
ＮＣＵユニット２０は、データ処理装置１本体側に、ＮＣＵユニット２０の装着用に用意された物理的な空間にセットされることで、見た目上は、データ処理装置１本体に装着されるが、ハーネスＨをコネクタＣＮ１に接続して、ＮＣＵユニット２０をデータ処理装置１に電気的に接続しないと、ＮＣＵユニット２０を、データ処理装置１が使用可能な状態で装着したとは言えない。
【００３７】
図４に、ＮＣＵユニット２０側の電流検出部２２、及び、データ処理装置１本体側の検出モード設定部１１の具体的な構成について示す。
【００３８】
同図において、電話回線のループのＡ−Ｂ点間に介在するコイルＬには、電話回線に直流ループが形成されれば、その電流により磁界を生じる。なお、直流ループの電流の方向は、電話回線側の加入者交換機により正方向または逆方向になり一定しない。
【００３９】
コイルＬにより生じた正逆いずれかの方向の磁界は、磁気センサ２２ａにより検出され磁界の方向に応じた電気信号に変換され、増幅器２２ｂにより増幅されて比較器２２ｃ及び２２ｄに入力される。
【００４０】
比較器２２ｃは、増幅器２２ｂからの出力電圧と、図示しない基準電圧との比較により、回線直流ループがなし、または、回線直流ループあり（逆方向）の場合には検出信号Ｄ１としてＨレベルを出力し、回線直流ループあり（正方向）の場合には、検出信号Ｄ１としてＬレベルを出力する。
【００４１】
一方、比較器２２ｄは、増幅器２２ｂからの出力電圧と、図示しない基準電圧との比較により、回線直流ループがなし、または、回線直流ループあり（正方向）の場合には検出信号Ｄ２としてＨレベルを出力し、回線直流ループあり（逆方向）の場合には、検出信号Ｄ２としてＬレベルを出力する。
【００４２】
このように、従来であれば、電流検出部２２からの検出信号Ｄ１、Ｄ２により正逆の直流ループを検出できるが、本実施の形態では、検出信号Ｄ１、Ｄ２をＮＣＵユニット２０の装置本体への接続状態を検出するためにも使用できるようにするために、検出モード設定部１１を設けている。
【００４３】
検出モード設定部１１では、一端が電源電圧Ｖに接続された抵抗Ｒ１、抵抗Ｒ２、及び、エミッタ端子が基準電位に接続されたトランジスタＴｒ１のコレクタ端子との直列接続の抵抗Ｒ１とＲ２との接続点に電流検出部２２からの検出信号Ｄ１を接続し、その接続点から検出結果信号Ｏｕｔ１が取り出される。なお、ＮＣＵユニット２０がハーネスＨを介してコネクタＣＮ１に接続されていない場合には、当然に検出信号Ｄ１は、抵抗Ｒ１とＲ２との接続点には接続されない。
【００４４】
また、検出モード設定部１１では、一端が電源電圧Ｖに接続された抵抗Ｒ３、抵抗Ｒ４、及び、エミッタ端子が基準電位に接続されたトランジスタＴｒ２のコレクタ端子との直列接続の抵抗Ｒ３とＲ４との接続点に電流検出部２２からの検出信号Ｄ２を接続し、その接続点から検出結果信号Ｏｕｔ２が取り出される。なお、ＮＣＵユニット２０がハーネスＨを介してコネクタＣＮ１に接続されていない場合には、検出信号Ｄ２は、当然に抵抗Ｒ３とＲ４との接続点には接続されない。
【００４５】
また、トランジスタＴｒ１及びＴｒ２のベース端子には、システムバス１２を介してシステム制御部２からのモード設定信号Ｓｍが入力され、システム制御部２からの制御により、トランジスタＴｒ１及びＴｒ２がＯＮまたはＯＦＦされる。
【００４６】
トランジスタＴｒ１及びＴｒ２がＯＮの状態では、抵抗Ｒ２及びＲ４がそれぞれ基準電位に接地された状態となり、ＮＣＵユニット２０が未接続のために検出信号Ｄ１及びＤ２が未接続であるとすれば、抵抗Ｒ１と抵抗Ｒ２との接続点の電圧、すなわち、検出結果信号Ｏｕｔ１は、電源電圧Ｖを抵抗Ｒ１と抵抗Ｒ２とで分圧した電圧となり、抵抗Ｒ３と抵抗Ｒ４との接続点の電圧、すなわち、検出結果信号Ｏｕｔ２は、電源電圧Ｖを抵抗Ｒ３と抵抗Ｒ４とで分圧した電圧となる。
【００４７】
本実施の形態では、トランジスタＴｒ１及びＴｒ２がＯＮの状態でＮＣＵユニット２０が未接続の場合に、検出結果信号Ｏｕｔ１及びＯｕｔ２共にＬレベルとなるよう、抵抗Ｒ１と抵抗Ｒ２との分圧比、及び、抵抗Ｒ３と抵抗Ｒ４との分圧比を設定している。
【００４８】
トランジスタＴｒ１及びＴｒ２がＯＮの状態で、ＮＣＵユニット２０が接続されているために検出信号Ｄ１及びＤ２が接続されているとすれば、抵抗Ｒ１と抵抗Ｒ２との接続点の電圧、すなわち、検出結果信号Ｏｕｔ１は、電源電圧Ｖを抵抗Ｒ１と抵抗Ｒ２とで分圧した電圧が、検出信号Ｄ１がＨレベルであれば、比較器２２ｃからの吐き出し電流により、電源電圧Ｖのレベルに引き上げられるため、「Ｈ」レベルとなってしまい、検出信号Ｄ１がＬレベルであれば、比較器２２ｃへの吸い込み電流により、基準電位のレベルに引き下げられるため、「Ｌ」レベルとなってしまう。同様に、抵抗Ｒ３と抵抗Ｒ４との接続点の電圧、すなわち、検出結果信号Ｏｕｔ２は、電源電圧Ｖを抵抗Ｒ３と抵抗Ｒ４とで分圧した電圧が、検出信号Ｄ２がＨレベルであれば、比較器２２ｄからの吐き出し電流により、電源電圧Ｖのレベルに引き上げられるため、「Ｈ」レベルとなってしまい、検出信号Ｄ２がＬレベルであれば、比較器２２ｄへの吸い込み電流により、基準電位のレベルに引き下げられるため、「Ｌ」レベルとなってしまう。
【００４９】
トランジスタＴｒ１及びＴｒ２がＯＦＦの状態で、ＮＣＵユニット２０が接続されているために検出信号Ｄ１及びＤ２が接続されているとすれば、抵抗Ｒ１と抵抗Ｒ２との接続点の電圧、すなわち、検出結果信号Ｏｕｔ１は、検出信号Ｄ１がＨレベルであれば、抵抗Ｒ１により電源電圧Ｖにプルアップされた状態から更に比較器２２ｃからの吐き出し電流により、電源電圧Ｖのレベルに引き上げられるため、「Ｈ」レベルとなり、検出信号Ｄ１がＬレベルであれば、電源電圧Ｖから抵抗Ｒ１を介した比較器２２ｃへの吸い込み電流により、基準電位のレベルに引き下げられるため、「Ｌ」レベルとなる。同様に、抵抗Ｒ３と抵抗Ｒ４との接続点の電圧、すなわち、検出結果信号Ｏｕｔ２は、検出信号Ｄ２がＨレベルであれば、抵抗Ｒ３により電源電圧Ｖにプルアップされた状態から更に比較器２２ｄからの吐き出し電流により、電源電圧Ｖのレベルに引き上げられるため、「Ｈ」レベルとなり、検出信号Ｄ２がＬレベルであれば、電源電圧Ｖから抵抗Ｒ３を介した比較器２２ｄへの吸い込み電流により、基準電位のレベルに引き下げられるため、「Ｌ」レベルとなる。
【００５０】
システム制御部２は、ＮＣＵユニット２０が装置本体に装着されて、ファクシミリ機能が有効な通常動作時には、検出モードを回線直流ループ検出モードに設定する。すなわち、モード設定信号Ｓｍを「Ｌ」レベルにしてトランジスタＴｒ１及びＴｒ２をＯＦＦ状態とする。
【００５１】
図５に回線直流ループ検出モード時における、ハーネスＨの接続状態及び回線直流ループの有（正逆）無の組合せのそれぞれについての検出信号Ｄ１、Ｄ２、及び、検出結果信号Ｏｕｔ１、Ｏｕｔ２の対応について示す。
【００５２】
同図において、回線直流ループ検出モードは、ＮＣＵユニット２０が装置本体に接続されていることが前提となるため、ハーネス接続状態は「接続」のみである。そして回線直流ループ「なし」の場合は、検出信号Ｄ１、Ｄ２は共にＨレベルとなり、検出結果信号Ｏｕｔ１、Ｏｕｔ２も検出信号Ｄ１、Ｄ２と同一でＨレベルとなって、システム制御部２は回線直流ループなしと判定する。回線直流ループ「あり（正）」の場合は、検出信号Ｄ１、Ｄ２はそれぞれＬ、Ｈレベルとなり、検出結果信号Ｏｕｔ１、Ｏｕｔ２も検出信号Ｄ１、Ｄ２と同一でそれぞれＬ、Ｈレベルとなって、システム制御部２は回線直流ループあり（正）と判定する。回線直流ループ「あり（逆）」の場合は、検出信号Ｄ１、Ｄ２はそれぞれＨ、Ｌレベルとなり、検出結果信号Ｏｕｔ１、Ｏｕｔ２も検出信号Ｄ１、Ｄ２と同一でそれぞれＨ、Ｌレベルとなって、システム制御部２は回線直流ループあり（逆）と判定する。
【００５３】
このように、通常動作時にはＮＣＵユニット２０の電流検出部２２からの検出信号Ｄ１及びＤ２により、回線の直流ループを有無を従来と同様に正しく検出することができる。
【００５４】
一方、システム制御部２は、ＮＣＵユニット２０が装置本体に装着されているか否かを検出する場合には、検出モードをＮＣＵ接続状態検出モードに設定する。すなわち、モード設定信号Ｓｍを「Ｈ」レベルにしてトランジスタＴｒ１及びＴｒ２をＯＮ状態とする。
【００５５】
図６にＮＣＵ接続状態検出モード時における、ハーネスＨの接続状態及び回線直流ループの有（正逆）無の組合せのそれぞれについての検出信号Ｄ１、Ｄ２、及び、検出結果信号Ｏｕｔ１、Ｏｕｔ２の対応について示す。
【００５６】
同図において、ＮＣＵ接続状態検出モードでは、ＮＣＵユニット２０が装置本体に接続されている場合といない場合とがあり、接続されている場合において、回線直流ループ「なし」の場合は、検出信号Ｄ１、Ｄ２は共にＨレベルとなり、検出結果信号Ｏｕｔ１、Ｏｕｔ２も検出信号Ｄ１、Ｄ２と同一でＨレベルとなって、システム制御部２はＮＣＵユニット２０が接続されていると判定する。
【００５７】
接続されている場合において、回線直流ループ「あり（正）」の場合は、検出信号Ｄ１、Ｄ２はそれぞれＬ、Ｈレベルとなり、検出結果信号Ｏｕｔ１、Ｏｕｔ２も検出信号Ｄ１、Ｄ２と同一でそれぞれＬ、Ｈレベルとなって、検出結果信号Ｏｕｔ１では、ＮＣＵユニット２０が未接続と判定され、検出結果信号Ｏｕｔ２では、ＮＣＵユニット２０が接続されていると判定されるが、検出結果信号Ｏｕｔ２を優先して、ＮＣＵユニット２０が接続されていると判定する。
【００５８】
接続されている場合において、回線直流ループ「あり（逆）」の場合は、検出信号Ｄ１、Ｄ２はそれぞれＨ、Ｌレベルとなり、検出結果信号Ｏｕｔ１、Ｏｕｔ２も検出信号Ｄ１、Ｄ２と同一でそれぞれＨ、Ｌレベルとなって、検出結果信号Ｏｕｔ１では、ＮＣＵユニット２０が接続されている判定され、検出結果信号Ｏｕｔ２では、ＮＣＵユニット２０が未接続と判定されるが、検出結果信号Ｏｕｔ１を優先して、ＮＣＵユニット２０が接続されていると判定する。
【００５９】
これにより、ＮＣＵ接続状態検出モード時に回線直流ループなしの場合には、ＮＣＵユニット２０が接続されていることを問題なく検出できる。また、ＮＣＵ接続状態検出モード時に外付電話機３０がオフフックされて回線直流ループありの状態になっても、回線直流ループあり（正）及び（逆）を個別に検出して、検出結果信号Ｏｕｔ１またはＯｕｔ２のいずれか一方がＨレベルであればＮＣＵユニット２０が正しく接続されていると判定すため、ＮＣＵユニット２０が正しく接続されているのに未接続と誤判定してしまうことがない。
【００６０】
ＮＣＵユニット２０がハーネスＨを介してコネクタＣＮ１に接続されていない場合には、回線直流ループの有無に関係なく、したがって、検出信号Ｄ１、Ｄ２に関係なく、検出結果信号Ｏｕｔ１及びＯｕｔ２がＬレベルとなって、ＮＣＵユニット２０が未接続であることを正しく検出することができる。
【００６１】
次に、データ処理装置１における電源投入時処理手順について、図７を参照して説明する。
【００６２】
同図において、システム制御部２は、装置電源が投入されて動作を開始すると、ＲＡＭ４のクリアや装置各部の動作の初期設定等の初期化処理を行った後（処理１０１）、モード設定信号Ｓｍを「ＯＮ」して（処理１０２）、検出モード設定部１１をＮＣＵ接続状態検出モードに設定し、検出結果信号Ｏｕｔ１及びＯｕｔ２を確認する（処理１０３）。確認の結果、検出結果信号Ｏｕｔ１及びＯｕｔ２が共に「Ｌ」レベルが否かを判断し（判断１０４）、判断１０４がＮｏの場合、すなわち、ＮＣＵユニット２０がハーネスＨを介してコネクタＣＮ１に正しく接続されている場合には、ファクシミリ機能フラグＦｆを１に設定して（処理１０５）、処理１１２に移行する。
【００６３】
判断１０４がＹｅｓの場合、すなわち、ＮＣＵユニット２０がハーネスＨを介してコネクタＣＮ１に正しく接続されてはいない場合には、操作表示部９の表示器９ｇに、図８に示す表示Ｄ０１を表示しつつ（処理１０６）、［Ｙｅｓ］キー９ｄまたは［Ｎｏ］キー９ｅが押下されるまで待つ（判断１０７のＮｏ、判断１０８のＮｏループ）。表示Ｄ０１の「ＮＣＵユニットは未装着ですか？」とのメッセージは、ＮＣＵユニット２０のデータ処理装置１本体への装着に関するユーザの認識を確認するためのもので、［Ｙｅｓ］キー９ｄが押下された場合は（判断１０７のＹｅｓ）、ＮＣＵユニット２０が未接続であるという、判断１０４のＹｅｓにおけるシステム制御部２の判断結果と、ユーザの認識とが一致したことになるため、処理１１１に移行し、ファクシミリ機能フラグＦｆを０に設定してする。
【００６４】
［Ｎｏ］キー９ｅが押下された場合は（判断１０８のＹｅｓ）、ＮＣＵユニット２０が未接続であるという、判断１０４のＹｅｓにおけるシステム制御部２の判断結果と、ユーザの認識とが不一致であることになるため、表示器９ｇに図８に示す表示Ｄ０２を一定時間表示して、ユーザが物理的にはＮＣＵユニット２０をデータ処理装置１本体に装着したかもしれないがハーネスＨがコネクタＣＮ１に正しく接続されていないかもしれない旨を示しユーザに注意を喚起した上で（処理１０９、処理１１０）、処理１１１に移行し、ファクシミリ機能フラグＦｆを０に設定する。
【００６５】
処理１０５または処理１１１でファクシミリ機能フラグＦｆを設定した後は、モード設定信号Ｓｍを「ＯＦＦ」にして、検出モード設定部１１を回線直流ループ検出モードに戻してから（処理１１２）、待機状態に移行する。なお、ＮＣＵ接続状態検出モードは、装置電源投入時のみではなく、起動後の待機状態において、一定時間ごとに行うようにしてもよい。その場合、動作中でもＮＣＵユニット２０の接続状態を自動検出するこができる。
【００６６】
待機状態では、システム制御部２は、図９に示すファクシミリ機能実行制御手順を行う。
【００６７】
同図において、システム制御部２は、ファクシミリ機能起動イベントが発生したか、具体的には、操作表示部９からのファクシミリ送信操作入力や、ＮＣＵユニット２０の呼出信号検出部２１により呼出信号が検出されファクシミリ通信の着呼等があったかを監視しつつ、その他の処理を実行している（判断２１０のＮｏ、処理２０２のループ）。
【００６８】
そして、ファクシミリ機能起動イベントが発生した場合は（判断２０１のＹｅｓ）、ファクシミリ機能フラグＦｆの値が１か否（０）か、すなわち、ＮＣＵユニット２０が正しく装着された状態か否かを判断し（判断２０３）、ファクシミリ機能フラグＦｆの値が１である場合は（判断２０３のＹｅｓ）、ファクシミリ機能を実行して（処理２０４）、判断２０１に戻る。ファクシミリ機能フラグＦｆの値が０である場合は（判断２０３のＮｏ）、ファクシミリ機能を実行することなく、判断２０１に戻る。これにより、ＮＣＵユニット２０が正しく装着されていないと行うことができないファクシミリ機能を、ＮＣＵユニット２０が正しく装着されているときのみ行うように制御手順を切り換えて、無駄な動作を行わないようにすることができる。
【００６９】
なお、以上説明した実施の形態においては、処理対象データが画像データであるデータ処理装置に本発明を適用したが、本発明は、処理対象データの内容により限定されるものではなく、電話回線を介した通信に必要なユニットを正しく装着すれば、電話回線を介したデータ通信が可能な構成のデータ処理装置であれば、同様に適用可能なものである。
【００７０】
【発明の効果】
請求項１に係る発明によれば、前記通信ユニットが、前記電話回線を介した通信のために備える前記電話回線の直流ループの有無を検出するための前記直流検出部から出力される検出信号を利用することで、前記通信ユニット側に、装着状態検出用の特別な構成を新たに付加することなく、前記通信ユニットが装置本体から使用可能な状態で正しく装着されているか否かを、正確に自動的に検出することが可能となる効果が得られる。
【００７１】
請求項２に係る発明によれば、前記通信ユニットが、前記電話回線を介した通信のために備える前記電話回線の直流ループの正逆それぞれについてその有無を検出するための前記直流検出部から出力される検出信号を利用することで、前記通信ユニット側に、装着状態検出用の特別な構成を新たに付加することなく、前記通信ユニットが装置本体から使用可能な状態で正しく装着されているか否かを、前記外付電話がオフフックされているか否かによらず正確に自動的に検出することが可能となり、前記通信ユニットの装着状態の誤検出を防止することが可能となる効果が得られる。
【００７２】
請求項３に係る発明によれば、前記通信ユニットの接続状態の検出結果についての確認メッセージを表示するため、ユーザが前記通信ユニットを物理的には装置本体に装着したが、前記通信ユニットを電気的に装置本体に装着するためのハーネスを正しく接続していないような場合に、前記通信ユニットを装置本体に装着したと思っているユーザの認識と、実際に前記通信ユニットが装置本体が使用可能な状態では装着されていない現実との食い違いをユーザに確認させることができ、前記通信ユニットの装置本体への確実な装着を促すことが可能となる効果が得られる。
【００７３】
請求項４に係る発明によれば、前記通信ユニットが未接続で前記通信ユニットを使用した通信機能が使用できない状態では当該通信機能に係る制御手順のが実行されないため、前記通信ユニットの接続状態と装置本体の制御手順との整合性をとることが可能となる効果が得られる。
【図面の簡単な説明】
【図１】本発明の実施の形態に係るデータ処理装置のブロック構成を示す図である。
【図２】本発明の実施の形態に係るデータ処理装置の操作表示部の、本実施の形態と直接関係する部分以外は図示を省略した配置構成例を示す図である。
【図３】本発明の実施の形態に係るデータ処理装置のＮＣＵの具体的な構成等について示す図である。
【図４】本発明の実施の形態に係るデータ処理装置の電流検出部及び検出モード設定部の具体的な構成について示す図である。
【図５】通常動作時の回線直流ループ検出モードにおける各信号状態について示す図である。
【図６】ＮＣＵ接続状態検出モードにおける各信号状態について示す図である。
【図７】本発明の実施の形態に係るデータ処理装置における、電源投入時処理手順について示すフローチャートである。
【図８】図７の処理手順における表示例について示す図である。
【図９】本発明の実施の形態に係るデータ処理装置におけるファクシミリ機能実行制御手順について示すフローチャートである。
【符号の説明】
１  ファクシミリ装置
２  システム制御部
３  ＲＯＭ
４  ＲＡＭ
５  スキャナ
６  プロッタ
７  ＰＣインターフェース
８  符号化復号化部
９  操作表示部
９ａ  テンキー
９ｂ  ［スタート］キー
９ｃ  ［ストップ］キー
９ｄ  ［Ｙｅｓ］キー
９ｅ  ［Ｎｏ］キー
９ｆ  ［ファンクション］
９ｇ  表示器
１０  モデム
１１  検出モード設定部
１２  システムバス
２０  ＮＣＵユニット
２１  呼出信号検出部
２２  電流検出部
２２ａ  磁気センサ
２２ｂ  増幅器
２２ｃ、２２ｄ  比較器
３０  外付電話機
４０  パーソナルコンピュータ
Ｒ１、Ｒ２、Ｒ３、Ｒ４  分圧抵抗
Ｔｒ１、Ｔｒ２  トランジスタ
ＲＹ  リレー
ＬＴ  ライントランス
ＣＮ１、ＣＮ２、ＣＮ３  コネクタ
【図１】
0003730438.tif 000002
【図２】
0003730438.tif 000003
【図３】
0003730438.tif 000004
【図４】
0003730438.tif 000005
【図５】
0003730438.tif 000006
【図６】
0003730438.tif 000007
【図７】
0003730438.tif 000008
【図８】
0003730438.tif 000009
【図９】
0003730438.tif 000010